(57)【要約】【課題】タイムラグの発生を極力なくすと共に、ピッチ偏差の変化が小さい場合にはノートの切り替わり時においてもなめらかに表示を移動させ、従来のように表示が瞬かないようにする。【解決手段】入力音を取り込む入力部１０と、入力音のピッチを検出するピッチ検出部２０と、ピッチからノートを判別するノート判別部３０と、ノート表示制御部６０と、ピッチとノートから決まる基準ピッチとのピッチ偏差を求めるピッチ偏差計算部４０と、前記ピッチ偏差の表示位置と現在表示状態となっている表示位置との位置の差が所定値以上の場合には、表示状態を前記ピッチ偏差の表示位置に直ちに切り替え、その他の場合には、現在表示状態となっている表示位置から前記ピッチ偏差の表示位置まで、表示状態を順次切り替えて移動させるピッチ偏差表示制御部５０と、ノート及びピッチ偏差を表示する表示部７０とを有する。【選択図】図１
2014016545.tif 000002
【特許請求の範囲】
【請求項１】
入力音から検出されたピッチと、前記ピッチから判別されたノートから決まる基準ピッチとのピッチ偏差を、表示部のどの表示位置を表示状態にするかによって示すピッチ偏差表示方法であって、
入力音を取り込む入力ステップと、
前記入力ステップで取り込んだ入力音のピッチを検出するピッチ検出ステップと、
前記ピッチ検出ステップで検出された入力音のピッチからノートを判別するノート判別ステップと、
前記ノートを前記表示部に表示させるノート表示制御ステップと、
前記ピッチと前記ノートから決まる基準ピッチとのピッチ偏差を求めるピッチ偏差計算ステップと、
前記ピッチ偏差の表示位置と現在表示状態となっている表示位置との位置の差が所定値以上の場合には、表示状態を前記ピッチ偏差の表示位置に直ちに切り替え、その他の場合には、現在表示状態となっている表示位置から前記ピッチ偏差の表示位置まで、表示状態を順次切り替えて移動させるピッチ偏差表示制御ステップとを有することを特徴とするピッチ偏差表示方法。
【請求項２】
請求項１記載のピッチ偏差表示方法において、
前記所定値は２５セントであることを特徴とするピッチ偏差表示方法。
【請求項３】
入力音から検出されたピッチと、前記ピッチから判別されたノートから決まる基準ピッチとのピッチ偏差を、表示部のどの表示位置を表示状態にするかによって示す調律器であって、
入力音を取り込む入力部と、
前記入力部で取り込んだ入力音のピッチを検出するピッチ検出部と、
前記ピッチ検出部で検出された入力音のピッチからノートを判別するノート判別部と、
前記ノートを前記表示部に表示させるノート表示制御部と、
前記ピッチと前記ノートから決まる基準ピッチとのピッチ偏差を求めるピッチ偏差計算部と、
前記ピッチ偏差の表示位置と現在表示状態となっている表示位置との位置の差が所定値以上の場合には、表示状態を前記ピッチ偏差の表示位置に直ちに切り替え、その他の場合には、現在表示状態となっている表示位置から前記ピッチ偏差の表示位置まで、表示状態を順次切り替えて移動させるピッチ偏差表示制御部と、
前記ノート及びピッチ偏差を表示する前記表示部とを有することを特徴とする調律器。
【請求項４】
請求項３記載の調律器において、
前記所定値は２５セントであることを特徴とする調律器。
【請求項５】
請求項３又は４記載の調律器において、
前記表示部はピッチ偏差表示部とノート表示部とを備え、液晶ディスプレイにより構成されていることを特徴とする調律器。
【発明の詳細な説明】
【技術分野】
【０００１】
この発明は入力音から検出されたピッチ（音高）と、そのピッチから判別されたノート（音階音名）から決まる基準ピッチとのピッチ偏差を表示するピッチ偏差表示方法及びその表示方法を用いる調律器に関する。
【背景技術】
【０００２】
楽器の調律やピッチの調整に従来より調律器が使用されている。特許文献１にはこの種の調律器の構成及びピッチ偏差表示方法が記載されている。
【０００３】
特許文献１に記載されている調律器は、入力音を取り込む入力部と、入力音のピッチを検出するピッチ検出部と、入力音のピッチからノートを判別するノート判別部と、入力音のピッチとノートから決まる基準ピッチとのピッチ偏差を求めるピッチ偏差判別部と、ピッチ偏差を表示するピッチ偏差表示部と、ピッチ偏差表示部を制御するピッチ偏差表示制御部と、ノートを表示するノート表示部と、ノート表示部を制御するノート表示制御部とを例えば備えている。
【０００４】
上記のような構成において、ピッチ偏差表示制御部は以下のような表示制御を行うものとなっている。即ち、
・無音状態あるいはピッチ検出不能状態からピッチ検出可能状態になった場合、またはノートが変化した場合には、遅滞なくピッチ偏差に対応するピッチ偏差表示部の表示素子を表示状態にする。
【０００５】
・その他の場合には、直前に表示状態となっている表示素子からピッチ偏差に対応する表示素子まで、表示状態となる表示素子を段階的に、つまり機械式の調律器の針の動きのように移動させる。
【０００６】
なお、ピッチ偏差表示部はＬＥＤ（発光ダイオード）やＬＣＤ（液晶ディスプレイ）のような表示素子を備え、上記のような表示制御によりピッチ偏差を表示するものとなっている。
【０００７】
特許文献１ではこのようなピッチ偏差の表示制御により、例えばノートが異なった範囲までピッチ偏差が変化した場合には、直前の入力音ピッチのピッチ偏差の表示位置に拘らず、遅滞なく新しいノートとピッチ偏差を表示することができるものとなっている。
【０００８】
また、ギターやピアノのような弦を使用した楽器の調律を行う際に、アタック（音の最初の部分）での入力音ピッチとサスティーン（低音に変化してほぼ一定となった部分）での入力音ピッチの両方や、入力音ピッチの変化を確認しながら調律を行うことができるものとなっている。
【先行技術文献】
【特許文献】
【０００９】
【特許文献１】特許第４８７３６３０号公報
【発明の概要】
【発明が解決しようとする課題】
【００１０】
図４（ａ）〜（ｃ）及び図５（ａ），（ｂ）は上述した特許文献１に記載されている従来のピッチ偏差表示方法に基づく表示部の表示状態の変化を各種条件において例示したものである。表示部７０はＬＣＤ（液晶ディスプレイ）によって構成されており、ピッチ偏差表示部７１とノート表示部７２とを備えている。ピッチ偏差表示部７１は目盛と針とよりなり、針の表示位置によって、つまりどの表示位置に針を表示して表示状態とするかによってピッチ偏差を表示するものとなっている。以下、図４（ａ）〜（ｃ）及び図５（ａ），（ｂ）を参照して各種条件における表示部７０の表示状態の変化を説明する。
【００１１】
（１）無音状態から信号（楽器音）入力
図４（ａ）は一例として、無音状態からＡ音の０セント信号（４４０Ｈｚ信号）が入力された時の表示状態の変化を示したものであり、無音状態では針は左端の−５０セントの位置に表示されて待機状態となっており、Ａ音の０セント信号入力により、針の表示位置は直ちに中央の０セントに切り替えられ、またノート表示部７２に“Ａ”が表示される。
【００１２】
（２）信号入力状態から別ノート信号入力（ピッチ偏差表示位置が大きく異なる場合）
図４（ｂ）は一例として、Ａ音の−１５セント信号の後、Ｅ音の＋１５セント信号が入力された場合を示したものであり、針の表示位置は−１５セントから＋１５セントに直ちに切り替えられ、ノート表示は“Ａ”から“Ｅ”に切り替えられる。
【００１３】
（３）信号入力状態から別ノート信号入力（ピッチ偏差表示位置が大きく異ならない場合）
図４（ｃ）は一例として、Ａ音の−１５セント信号の後、Ｅ音の０セント信号が入力された場合を示したものであり、この場合も（２）項と同様、針の表示位置は−１５セントから０セントに直ちに切り替えられ、ノート表示は“Ａ”から“Ｅ”に切り替えられる。
【００１４】
（４）信号入力状態からピッチが少し変化した同ノート信号入力
図５（ａ）は一例として、Ａ音の０セント信号の後、Ａ音の−１５セント信号が入力された場合を示したものであり、この場合は針は０セントの位置から−１５セントの位置まで図５（ａ）に示したように順次表示位置が切り替えられて移動する。
【００１５】
（５）信号入力状態からピッチが大きく変化した同ノート信号入力
図５（ｂ）は一例として、Ａ音の０セント信号の後、Ａ音の−３０セント信号が入力された場合を示したものであり、この場合も（４）項と同様、針は０セントの位置から−３０セントの位置まで図５（ｂ）に示したように順次表示位置が切り替えられて移動する。
【００１６】
以上のように、従来のピッチ偏差表示方法によれば、入力音のノートが変わらない場合、ピッチ偏差を示す針は現在の表示位置から目的の表示位置まで順次表示位置が切り替えられて移動するものとなっており、つまり機械式メータの針の動きを模した動作を行うものとなっており、一方、入力音のノートが変わった場合、針は現在の表示位置から目的の表示位置に直接表示位置が切り替わるものとなっている。
【００１７】
しかるに、このようなピッチ偏差の表示方法では、以下に示すような問題がある。
【００１８】
第１に、ノートが変わらない限り、針は機械式メータの針の動きを模した動作をするため、ピッチ偏差が大きく変化した場合、目的のピッチ偏差を表示するまでに時間がかかり、タイムラグが発生してしまう。
【００１９】
第２に、入力音の切り替わり（ノートの切り替わり）に伴い、前後の入力音のピッチ偏差の変化が小さくても、ピッチ偏差の表示が直接変わるため、表示（針）が瞬いてしまい（ちらついてしまい）、その点で見づらく、またそのような表示の瞬きは奏者にとって印象が悪いものとなる。
【００２０】
例えば、管楽器の練習等においては、奏者は演奏中に調律器のピッチ偏差の表示を見ながら、口元でピッチを調整するといったことを行うが、このような場合には上述した２つの問題は実用上、大きな支障となる。
【００２１】
この発明の目的はこのような問題に鑑み、タイムラグの発生を極力なくすと共に、例えば管楽器の奏者にとっても極めて使い易く、使用に際して良い印象を与えるピッチ偏差表示方法及び調律器を提供することにある。
【課題を解決するための手段】
【００２２】
請求項１の発明によれば、入力音から検出されたピッチと、ピッチから判別されたノートから決まる基準ピッチとのピッチ偏差を、表示部のどの表示位置を表示状態にするかによって示すピッチ偏差表示方法は、入力音を取り込む入力ステップと、入力ステップで取り込んだ入力音のピッチを検出するピッチ検出ステップと、ピッチ検出ステップで検出された入力音のピッチからノートを判別するノート判別ステップと、ノートを表示部に表示させるノート表示制御ステップと、ピッチとノートから決まる基準ピッチとのピッチ偏差を求めるピッチ偏差計算ステップと、ピッチ偏差の表示位置と現在表示状態となっている表示位置との位置の差が所定値以上の場合には、表示状態を前記ピッチ偏差の表示位置に直ちに切り替え、その他の場合には、現在表示状態となっている表示位置から前記ピッチ偏差の表示位置まで、表示状態を順次切り替えて移動させるピッチ偏差表示制御ステップとを有する。
【００２３】
請求項２の発明では請求項１の発明において、前記所定値は２５セントとされる。
【００２４】
請求項３の発明によれば、入力音から検出されたピッチと、ピッチから判別されたノートから決まる基準ピッチとのピッチ偏差を、表示部のどの表示位置を表示状態にするかによって示す調律器は、入力音を取り込む入力部と、入力部で取り込んだ入力音のピッチを検出するピッチ検出部と、ピッチ検出部で検出された入力音のピッチからノートを判別するノート判別部と、ノートを表示部に表示させるノート表示制御部と、ピッチとノートから決まる基準ピッチとのピッチ偏差を求めるピッチ偏差計算部と、ピッチ偏差の表示位置と現在表示状態となっている表示位置との位置の差が所定値以上の場合には、表示状態を前記ピッチ偏差の表示位置に直ちに切り替え、その他の場合には、現在表示状態となっている表示位置から前記ピッチ偏差の表示位置まで、表示状態を順次切り替えて移動させるピッチ偏差表示制御部と、ノート及びピッチ偏差を表示する表示部とを有する。
【００２５】
請求項４の発明では請求項３の発明において、前記所定値は２５セントとされる。
【００２６】
請求項５の発明では請求項３又は４の発明において、表示部はピッチ偏差表示部とノート表示部とを備え、液晶ディスプレイにより構成される。
【発明の効果】
【００２７】
この発明によれば、入力音のノートの変化有無に拘らず、入力音の最新のピッチ偏差の表示位置と現在表示状態となっている表示位置との位置の差が所定値以上の場合には、表示状態を最新のピッチ偏差の表示位置に直ちに切り替え、その他の場合には、現在表示状態となっている表示位置から最新のピッチ偏差の表示位置まで表示状態を順次切り替えて移動させるものとなっている。
【００２８】
従って、タイムラグの発生を極力なくすことができる。また、入力音の切り替わり（ノートの切り替わり）時において、前後の入力音のピッチ偏差の変化が小さい場合は、ピッチ偏差の表示は機械式メータの針のように移動して表示されるものとなっているため、従来のようにノートの切り替わり時に、ピッチ偏差の変化が小さい場合でも表示が瞬いてしまうといったことは解消され、よって例えば演奏中にピッチを調整する管楽器の奏者にとっても使い勝手が良く、良い印象を与えることができる。
【図面の簡単な説明】
【００２９】
【図１】この発明による調律器の一実施例の機能構成を示すブロック図。
【図２】図１に示した調律器の処理フローを示すフローチャート。
【図３】図１に示した調律器の表示部の表示状態の変化例を示す図。
【図４】従来のピッチ偏差表示方法に基づく表示部の表示状態の変化例を示す図。
【図５】従来のピッチ偏差表示方法に基づく表示部の表示状態の変化例を示す図。
【発明を実施するための形態】
【００３０】
以下、この発明の実施形態を図面を参照して実施例により説明する。
【００３１】
図１はこの発明による調律器の一実施例の機能構成を示したものであり、図２は図１に示した調律器の処理フローを示したものである。
【００３２】
調律器１００は、入力部１０とピッチ検出部２０とノート判別部３０とピッチ偏差計算部４０とピッチ偏差表示制御部５０とノート表示制御部６０と表示部７０を備えている。表示部７０は例えばＬＣＤ（液晶ディスプレイ）によって構成され、ピッチ偏差表示部７１とノート表示部７２とを備えている。なお、表示部７０は前述の図４及び図５に示した表示部７０と同一の構成とされる。
【００３３】
調律器１００の電源がＯＮになると、ピッチ偏差表示制御部５０は初期状態で表示状態とすることとしているピッチ偏差表示部７１の表示位置を表示状態にする（ステップＳ１）。具体的には前述の図４（ａ）の無音状態に示したように目盛を表示し、針を−５０セントの位置に表示する。
【００３４】
入力部１０は入力音（楽器音）を取り込む（ステップＳ２）。入力部１０は取り込んだ楽器音を電気信号として出力する。入力部１０は内蔵マイクもしくは外付けのマイクから楽器音を取り込む。
【００３５】
ピッチ検出部２０は入力音のピッチを検出し（ステップＳ３）、ノート判別部３０は入力音のピッチに最も近いノートを判別する（ステップＳ４）。ノート表示制御部６０は判別されたノートをノート表示部７２に表示させる（ステップＳ５）。ピッチ偏差計算部４０は入力音のピッチとノートから決まる基準ピッチとのピッチ偏差を計算する（ステップＳ６）。
【００３６】
ピッチ偏差表示制御部５０はピッチ偏差計算部４０の出力に応じてピッチ偏差表示部７１の表示位置を表示状態にする。この際、ピッチ偏差表示制御部５０はピッチ偏差の最新の表示位置と現在表示状態となっている表示位置との位置の差が所定値以上か否かを、つまりピッチ偏差の最新の表示位置が現在の表示位置と大きく異なるか否かを判断する（ステップＳ７）。所定値は例えば２５セントとされる。なお、現在表示状態となっているピッチ偏差の表示位置はピッチ偏差表示制御部５０が具備する記憶部５１に順次更新されて記憶され、ピッチ偏差表示制御部５０はこの記憶部５１に記憶されている表示位置と最新の表示すべき位置とを比較する。
【００３７】
ピッチ偏差表示制御部５０はステップＳ７でピッチ偏差表示位置が現在の表示位置と大きく異なると判断した場合、表示状態を最新の表示位置に直ちに切り替え、最新のピッチ偏差を直接表示する（ステップＳ８）。一方、ステップＳ７でピッチ偏差表示位置が現在の表示位置と大きく異ならないと判断した場合、現在表示状態となっている表示位置から最新のピッチ偏差の表示位置まで表示状態を順次切り替えて移動させる（ステップＳ９）。ステップＳ８あるいはステップＳ９の処理が終了すると、ステップＳ２に戻り、調律器１００の電源がＯＦＦとなるまで、上述した処理が繰り返される。
【００３８】
このような処理による表示部７０の表示状態の変化は、図４（ａ）〜（ｃ）及び図５（ａ），（ｂ）を参照して説明した従来のピッチ誤差表示方法に基づく表示部７０の表示状態の変化のうち、図４（ａ），図４（ｂ）及び図５（ａ）で例示した条件については従来と同じとなる。一方、図４（ｃ）及び図５（ｂ）で例示した条件では従来と異なるものとなる。
【００３９】
図３（ａ）は図４（ｃ）と同様、Ａ音の−１５セント信号の後、Ｅ音の０セント信号が入力された場合の調律器１００の表示部７０の表示状態の変化を示したものであり、ピッチ偏差の表示位置の差（変化）が２５セントより小さいため、針は−１５セント位置から０セントの位置まで図３（ａ）に示したように順次表示位置が切り替えられて移動する。なお、ノート表示は図３（ａ）に示したように“Ａ”から“Ｅ”に直ちに切り替えられる。
【００４０】
図３（ｂ）は図５（ｂ）と同様、Ａ音の０セント信号の後、Ａ音の−３０セント信号が入力された場合の調律器１００の表示部７０の表示状態の変化を示したものであり、ピッチ偏差の表示位置の差（変化）が２５セント以上のため、針の表示位置は０セントから−３０セントに直ちに切り替えられる。
【００４１】
以上説明したように、この例によれば、ピッチ偏差の変化が２５セント以上の場合は表示を直ちに切り替え、２５セント未満の場合は表示を順次切り替えて移動させ、機械式メータの動きを模した動作を行うものとなっている。よって、従来に比べ、タイムラグを低減することができ、また入力音の切り替わり（ノートの切り替わり）時に表示が瞬くといった現象をピッチ偏差の変化が小さい場合には解消することができる。
【００４２】
なお、上述した例では表示部７０をＬＣＤによって構成しているが、これに替え、複数のＬＥＤ（発光ダイオード）によって構成することもできる。また、ピッチ偏差表示部７１の針の非動作時における待機位置は左端としているが、これに限らず、中央や右端を待機位置としてもよく、このような場合にもこの発明を適用することができる。
【図１】
2014016545.tif 000003
【図２】
2014016545.tif 000004
【図３】
2014016545.tif 000005
【図４】
2014016545.tif 000006
【図５】
2014016545.tif 000007